(57)【特許請求の範囲】
【請求項１】
少なくとも２つの接続端子を並設可能な長さを有する縦板部を正面に備え、その正面側に、前記縦板部を露出させる縦長の開口を有する外枠を装着可能としたユニット本体に、前記接続端子の貫通部を有し、前記外枠の開口を閉塞可能な化粧板を装着してなるテレビジョン共聴用直列ユニットであって、
前記縦板部における上下方向の中央部と、その中央部に対応する前記化粧板の裏面側での上下方向の中央部とのどちらか一方に係止爪を、他方に、前記係止爪が係止可能な係止孔を夫々設けて、前記化粧板を、前記縦板部の上下方向の中央部で着脱可能に装着すると共に、前記係止孔における前記係止爪の係止面を、前記化粧板の脱却動作に伴い、前記係止爪を相対的に前記係止孔からの脱却方向へ案内可能な傾斜面としたことを特徴とするテレビジョン共聴用直列ユニット。
【発明の詳細な説明】
【０００１】
【発明の属する技術分野】
本発明は、テレビジョン放送の共同受信を行うために、各部屋ごとの壁等に取り付けられるテレビジョン共聴用直列ユニットに関する。
【０００２】
【従来の技術】
従来のテレビジョン共聴用直列ユニット（以下「直列ユニット」と略称する）は、実用新案登録公報第２５３８７９９号に開示の如く、回路基板を収容する縦板部の正面に２つのＦ型端子を突設したユニット本体に、ユニット本体に装着される外枠の開口を閉塞可能な化粧板を装着してなるものが知られている。
具体的な構造は、通常、柱等にネジ止めされたスイッチボックスの開口を、壁に形成した開口部を通して露出させ、そのスイッチボックス内の上下に形成されたネジ止めボスに、前記縦板部の上下に延設された取付部を夫々壁越しにネジ止めして、その取付部に下枠をネジ止めし、化粧板は、前記上下の取付部に夫々形成された装着部に嵌合等して固定した後、最後に下枠に外枠を装着するものである。
【０００３】
【発明が解決しようとする課題】
ところが、スイッチボックスのネジ止めボスとユニット本体の取付部との間に、壁の厚さ分のスペースが生じるため、取付部をネジ止めする際のねじ込み量が多過ぎたりしてユニット本体の取付状態が悪くなると、ユニット本体の上下の取付部が押し込まれてユニット本体にたわみが生じ、化粧板の取り付けができなくなる虞れがある。このため、ユニット本体を取り付け直したり、ねじ込み量を調整したりする必要が生じて、取付作業が面倒になってしまう。
【０００４】
そこで、請求項１に記載の発明は、ユニット本体の取付状態に影響されず、化粧板を確実に装着できる直列ユニットを提供することを目的としたものである。
【０００５】
【課題を解決するための手段】
上記目的を達成するために、請求項１に記載の発明は、前記縦板部における上下方向の中央部と、その中央部に対応する前記化粧板の裏面側での上下方向の中央部とのどちらか一方に係止爪を、他方に、前記係止爪が係止可能な係止孔を夫々設けて、前記化粧板を、前記縦板部の上下方向の中央部で着脱可能に装着すると共に、前記係止孔における前記係止爪の係止面を、前記化粧板の脱却動作に伴い、前記係止爪を相対的に前記係止孔からの脱却方向へ案内可能な傾斜面としたことを特徴とするものである。
【０００６】
【発明の実施の形態】
以下、本発明の実施の形態を図面に基づいて説明する。
図１は、直列ユニット１の分解説明図で、直列ユニット１は、壁内に埋め込まれるスイッチボックス４にネジ止めされるユニット本体２と、ユニット本体２に装着される化粧板３とを備え、更にユニット本体２には、下枠５及び外枠６とが夫々装着される。尚、通常外枠６の開口は大小２種類あり、その開口を閉塞する化粧板もそれに合わせて大小２種類用いられるが（以下区別するために、「大化粧板」「小化粧板」という）、ここではまず大化粧板３を用いた形態の説明を行う。
スイッチボックス４は、前面に開口部７を形成した函体で、この開口部７が壁に形成された取付孔８を通して開放するように、例えば柱９の側面等にネジ止めされる。又、内壁の上下には、ユニット本体２の取付用のネジ止めボス１０，１０が夫々形成されている。
次に、ユニット本体２は、鉄板（他に黄銅板やダイカストケース等、導電性を有する材料）を板金加工で打抜き、折曲げ形成してなる縦板部１１の後面（壁側）に、例えばＢＳ直列ユニット回路の回路素子を実装しスイッチボックス４内に引き出されたケーブル１２を接続するプリント基板（図示せず）を装備する一方、前面には、２つのＦ型端子１３，１３を突設している。又、縦板部１１の上下には、Ｔ字状の壁への取付部１４，１４が対称に延設され、各取付部１４には、スイッチボックス４のネジ止めボス１０，１０と上下位置を合わせた横長の長孔１５及び、下枠５の取付用のネジ孔１６が夫々穿設されている。更に、１７は、縦板部１１の前面中央に固定されるＡＢＳ樹脂製（絶縁材料であれば他の合成樹脂でも可）のベースで、その前面下縁には、突起１８が、両側縁には、図２（Ａ）にも示すように、前面が壁側へ向かって傾斜する案内面２０を夫々形成した係止爪１９，１９が夫々一対ずつ突設されている。尚、１７ａ，１７ａは、左右対称に形成され、後述する小化粧板３５の装着に用いられる段部で、１７ｂ，１７ｂ・・は、夫々ベース１７の上下端から側方へ左右対称に延設されるガイド片である。
又、上記ユニット本体２は、合成樹脂で成形されたものでも良い。
【０００７】
又、下枠５は、中央に長方形の開口２１が穿設されると共に、上下にユニット本体２の取付部１４のネジ孔１６に合わせた透孔２２が夫々穿設され、ネジ２３，２３によるユニット本体２への螺着が可能となっている。更に、両側縁には、外枠６の装着孔２４，２４・・が形成されている。
そして、大化粧板３は、外枠６の開口６ａを閉塞可能な表板２５の上下端に、後方へＬ字状に突設される位置決め片２６，２６を夫々備え、各位置決め片２６の表板２５と平行な先端には、下枠５を螺着するネジ２３の頭部に合致する湾曲部２７を形成している。又、大化粧板３の裏面には、図２（Ａ）にも示す如く、ベース１７の幅と等しい間隔で一対の取付片２８，２８が平行に形成されており、各取付片２８の突出した２箇所の先端部分には、ベース１７の係止爪１９，１９が係止可能な係止孔２９，２９が夫々穿設されている。この係止孔２９は、取付片２８の先端側の壁面が、外方から内方へ行くに従って先端側へ向かう傾斜面３０となっている。尚、３１，３１は、Ｆ型端子１３，１３が夫々貫通して表板２５の前面に露出する貫通筒で、２８ａ，２８ａ・・は、夫々各取付片２８，２８の上下端から外方へ直角に折曲形成されたストッパ片である。
一方、外枠６は、下枠５に重ね合わされる同形状を呈すると共に、ユニット本体２の縦板部１１の前面を露出可能な開口６ａを有し、その裏面で下枠５の装着孔２４，２４・・との対応位置には、夫々抜け止め３３を形成した弾性片３２，３２・・が後方へ向けて突設されている。
尚、下枠５、外枠６は共にＡＢＳ樹脂製であるため、大化粧板３も同じＡＢＳ樹脂製となっている。このように大化粧板３は下枠５や外枠６と同じ材質とするのが望ましい。又、着脱に伴う弾性もある程度必要なため、大化粧板３はこのような合成樹脂製とするのが望ましい。
【０００８】
以上の如く構成された直列ユニット１は、まずユニット本体２の取付部１４，１４を、夫々長孔１５を貫通するネジ３４とスイッチボックス４のネジ止めボス１０とによって螺着すると共に、夫々ネジ孔１６に下枠５をネジ止めする。次に、大化粧板３を、取付片２８，２８の先端を夫々ベース１７左右の係止爪１９，１９にあてがって後方へ押し込めば、図２（Ａ）に実線で示す如く、取付片２８，２８の先端が係止爪１９，１９の案内面２０，２０にガイドされ、弾性により夫々外方へ広がる。尚、取付片２８，２８の先端は案内面２０に沿った傾斜状に形成されているため、取付片２８，２８の係止爪１９，１９への乗り上げはスムーズになされる。又、ベース１７の左右のガイド片１７ｂ，１７ｂは、上下の間隔が、装着される取付片２８，２８の先端が丁度嵌り込む寸法に設定されているため、ガイド片１７ｂ，１７ｂにガイドされて、取付片２８，２８の組付けが容易となる上、大化粧板３の上下の位置決めもしやすくなる。
ここから大化粧板３を更に押し込むと、同図（Ｂ）の如く、係止孔２９，２９が夫々係止爪１９，１９と嵌合して取付片２８，２８が互いに平行に復帰すると共に、係止爪１９，１９が傾斜面３０，３０へ夫々係止する。同時に、取付片２８，２８に設けた各ストッパ片２８ａが、夫々ベース１７の各ガイド片１７ｂに当接してそれ以上の押込みが規制され、大化粧板３がユニット本体２に装着される。又、各ストッパ片２８ａによって外力に対する保護も得られる。
こうして装着が完了すれば、容易に外れることはなく、信頼性も高い。そして最後に、外枠６は、弾性片３２，３２・・を下枠５の装着孔２４，２４・・に嵌め込めば、下枠５と外枠６との間で大化粧板３が固定されて開口６ａを閉塞し、直列ユニット１の組付けは完了する。
【０００９】
尚、大化粧板３の装着の際、ユニット本体２の取付位置に誤差があったり、係止爪１９や係止孔２９等が破損したりして、大化粧板３とユニット本体２との装着が不完全であっても、図３のように位置決め片２６，２６をネジ２３，２３に合わせれば、下枠５及び外枠６に対する取付位置は常に正確に得られる。又、位置決め片２６，２６は、外枠６が装着されると、夫々下枠５と外枠６とで挟まれる格好となるため、大化粧板３の前後方向への脱却防止作用も得られる。
【００１０】
一方、外枠６の開口が小さい場合は、図４の如く小化粧板３５が用いられるが、大きさ以外の構成は殆ど同じであるため、同図において同じ符号で示される部品の説明は省略する。
外枠６の開口６ｂを閉塞可能な小化粧板３５は、ベース１７への装着状態で段部１７ａ，１７ａに嵌合する左右の側板３６，３６に、係止爪１９，１９が嵌合可能な係止孔３７，３７を形成する連設片３８，３８を夫々一対ずつ突設したもので、この各係止孔３７の先端側の壁面は、大化粧板３のような傾斜面でなく、平面に形成されているが、先端側は、大化粧板３と同様に、係止爪１９の案内面２０に沿った傾斜状に形成されている。尚、３９，３９は、Ｆ型端子１３，１３が貫通して小化粧板３５の前面に露出する貫通筒である。
よって、小化粧板３５においても、ユニット本体２への装着が左右の係止爪１９，１９と係止孔３７，３７との係止により可能となる。即ち、連設片３８，３８の先端を夫々ベース１７左右の係止爪１９，１９にあてがって後方へ押し込めば、図２（Ａ）と同様に、連設片３８，３８の先端が係止爪１９，１９の案内面２０，２０にガイドされ、弾性により夫々外方へ広がり、ここから小化粧板３５を更に押し込むと、同図（Ｂ）と同様に、係止孔３７，３７が夫々係止爪１９，１９と嵌合して係止され、小化粧板３５がユニット本体２に装着されることになる。又、ここでも、大化粧板３の場合と同様に、ベース１７の左右のガイド片１７ｂ，１７ｂと、その間に丁度嵌り込む連設片３８，３８とによるガイド作用、ガイド片１７ｂと側板３６，３６との当接による押込み規制作用が得られる。
このように、小化粧板３５では、各連設片３８の先端形状と各係止爪１９の案内面２０とによりベース１７への装着がしやすく、又、装着後は各係止爪１９と各係止孔３７との係止により外れにくいという作用が得られる。これは、小化粧板３５は殆どユニット本体２への装着状態で使用され、取り外される機会が少ないことによるものである。但し、各連結片３８は弾性を有するため、夫々外側へ開くことにより取り外すことは可能である。
【００１１】
このように本形態によれば、ユニット本体２の係止爪１９と大小化粧板３，３５の係止孔２９，３７との簡単な構造によって、縦板部１１の中央部で大小何れの化粧板も装着することができるため、スイッチボックス４へネジ止めしたユニット本体２にたわみ等が生じるようなことがあっても、これに影響されることなく確実に装着できる。特に大化粧板３においては、先述の如く、係止孔２９の傾斜面３０によって、装着後の信頼性を失わずに取り外し操作を容易としているため、直列ユニット１の取付時点まで大小化粧板３，３５の何れを用いるか不明であっても、現場での交換作業が簡単に行える。尚、小化粧板３５では外れにくい構造となっているが、現場での交換は可能である。更に、ユニット本体２は共通で大小化粧板３と３５のみの交換で複数のタイプに対応できるため、在庫管理も非常に楽となる。
【００１２】
ちなみに、上記形態の如く、ユニット本体２に２つのＦ型端子１３，１３が設けられるタイプにおいて、一方のＦ型端子１３が、ブースターやコンバーターを作動させるための電源を、同軸ケーブルを利用して供給する電流通過タイプである場合、大化粧板３の表面や貫通筒３１の表側の凹部に、着色やマーク等による識別表示が予め講じられているため、化粧板の装着の際は、この識別表示を実際のＦ型端子１３側に正確に合わせる必要がある。よってここでは、大化粧板３の裏面の一方の貫通筒３１の側方に、ベース１７の下端部に突設した突起１８と当接する干渉壁４０を夫々設けて、大化粧板３の上下の向きが間違っている場合、突起１８と干渉壁４０との当接により装着が行えないようにしている。従って、常に突起１８と干渉壁４０とが当接しない正確な位置で大化粧板３の装着が可能となる。この干渉壁は小化粧板３５側に設けることもできる。
【００１３】
尚、上記形態では、係止爪１９をユニット本体２前面のベース１７に形成しているが、ユニット本体２の縦板部１１に一体成形して差し支えない。又、係止爪１９をユニット本体２側に、係止孔２９，３７を化粧板３，３５側に形成しているが、これを互いに逆側に設けても良い。更に、係止孔２９，３７は透孔にしているが、凹部とすることもできる。加えて、係止爪１９の数も、左右に一対ずつでなく、左右に１つずつ或は３つ以上設けたり、配置場所も、ベース１７の左右の側縁でなく、上下の側縁に設けたりする等、種々の設計変更は可能で、これに合わせて化粧板３，３５側でも係止孔２９，３７の位置を変更すれば良い。又、ベース１７のガイド片１７ａや、これに対応して設けられる大化粧板３のストッパ片２８ａは省略することができる。
更に、ここではユニット本体２の縦板部１１に２つのＦ型端子１３，１３が設けられる直列ユニット１で説明したが、Ｆ型端子１３を２つ並設可能な長さを有する同じ縦板部１１にＦ型端子１３が１つ設けられるタイプでも本発明は適用可能である。
一方、大小化粧板３，３５は、ユニット本体２に対して完全につけ替える形態で説明しているが、従来技術で説明した公報の如く、小化粧板３５をユニット本体２に固着し、その固定された小化粧板３５に大化粧板３と外形が同じ枠状の化粧板を着脱する構成であっても、上述の係止爪１９や係止孔２９，３７等による中央部での着脱構造が採用できる。又、小化粧板３５においても、各係止孔３７に傾斜面を形成し、大化粧板３と同様にユニット本体２からの取り外しを容易にすることができる。
【００１４】
【発明の効果】
請求項１に記載の発明によれば、化粧板を縦板部の上下方向の中央部で着脱可能に装着したことで、ユニット本体の取付誤差等に影響されず、化粧板を確実に装着でき、取付作業が迅速且つ正確に行われる。
また、ユニット本体の縦板部と化粧板との装着を前記係止爪と係止孔とで行うと共に、係止孔に前記傾斜面を形成したことで、装着後の信頼性を失わず、簡単な構造で化粧板の着脱が容易となるため、直列ユニットの取付時点まで大小何れの化粧板を用いるか不明であっても、現場での交換作業が簡単に行える。更に、ユニット本体は共通で、大小化粧板のみの交換で複数の機種に対応できるため、在庫管理も非常に楽となる。
【図面の簡単な説明】
【図１】直列ユニットの組立て説明図である。
【図２】（Ａ）大化粧板の係止作用を示す説明図である。
（Ｂ）大化粧板の係止作用を示す説明図である。
【図３】大化粧板の装着状態を示す説明図である。
【図４】小化粧板を用いた直列ユニットの組立て説明図である。
【符号の説明】
１・・直列ユニット、２・・ユニット本体、３・・大化粧板、４・・スイッチボックス、５・・下枠、６・・外枠、１１・・縦板部、１３・・Ｆ型端子、１４・・取付部、１７・・ベース、１８・・突起、１９・・係止爪、２０・・案内面、２６・・位置決め片、２９，３７・・係止孔、３０・・傾斜面、３５・・小化粧板、４０・・干渉壁。
【図１】
0004021533.tif 000002
【図２】
0004021533.tif 000003
【図３】
0004021533.tif 000004
【図４】
0004021533.tif 000005